(57)【要約】【課題】  配管の外周面に配置される各ヒータの連結部分や端子部分が、熱的影響により破損することを少なくし、耐久性の向上及び保守管理の容易化を図る。【解決手段】  第１，第２ヒータ１０，２０の一端縁に設けた連結用突起１１，２１を金属板で形成した連結バー３０によって電気的に連結する。この連結バー３０の中間部は、湾曲形状に加工してある。また、第１，第２ヒータ１０，２０の他端縁に設けた端子部１２，２２に、金属板で形成した電線接続片１３，２３介して電線１４，２４を接続する。電線接続片１３，２３の本体部は、配管１の外形方向へ延びる長尺な棒状に形成されている。端子部１２，２２は、配管１の底部に配置し、各ヒータ１０，２０からの放射熱の影響を受けにくくしている。【選択図】      図２
2010096009.tif 000002
【特許請求の範囲】
【請求項１】
復水器と真空ポンプとを連通する配管のディヒューザ部に設けられた保温装置であって、次の（イ）乃至（ト）の構成を備えることを特徴とする保温装置。
（イ）それぞれ半円筒形状をしており、前記ディヒューザ部を形成する円筒形状の配管外周面に、それぞれ対称に配置される導電性の第１，第２ヒータを有する。
（ロ）前記第１，第２ヒータの各両端縁部は、間隙を設けて近接配置されている。
（ハ）前記第１，第２ヒータの近接配置された各一端縁部に、導電性の連結用突起が設けてある。
（ニ）前記各連結用突起を、金属板で形成した連結バーで連結して電気的に接続する。
（ホ）前記第１，第２ヒータの近接配置された各他端縁部に、導電性の端子部が設けてある。
（ヘ）前記各端子部に、それぞれ金属材料で形成した電線接続片の一端部を固定するとともに、当該電線接続片の他端部を前記配管の外径方向へ引き延ばして配置する。
（ト）前記各電線接続片の他端部に電線を接続し、それら電線を介して各端子部に電気を供給する。
【請求項２】
請求項１の保温装置において、
前記連結バーを構成する金属板の中間部を湾曲形成したことを特徴とする保温装置。
【請求項３】
請求項１又は２の保温装置において、
前記各端子部を、前記配管の底部に配置したことを特徴とする保温装置。
【発明の詳細な説明】
【技術分野】
【０００１】
この発明は、発電システムにおいて、復水器と真空ポンプとを連通する配管のディヒューザ部に設けられた保温装置に関する。
【背景技術】
【０００２】
例えば、火力発電システムにおいては、蒸気タービンから送られてくる高温の蒸気を、復水器で冷却して水に変換し再び循環させる系統が構築されている。復水器の内部は、蒸気の冷却効率を高めるために、真空ポンプによって真空吸引されている。真空ポンプには、エジェクタ式真空ポンプが用いられており、当該真空ポンプと復水器を連結する配管系統には、中間部にディヒューザが設けられている（例えば、特許文献１参照）。ディヒューザは、配管の内部に流れる気体を減速させて速度エネルギーを圧力に変換する機能を有し、円錐状の収れん部、それに連なる絞込部（のど部）、この絞込部から拡開していく発散部（ベンチュリ）、の各部を含んでいる。このうち、配管の直径が絞り込まれた絞込部では、温度低下に伴い配管内部で結露が生じやすい。そこで、この絞込部の外周面には、保温装置が設けられ配管内部の温度低下を抑制し、結露の防止対策を図っている（特許文献１の図３参照）。
【０００３】
図５は、従来のディヒューザに設けられた保温装置の構造を示す横断面図、図６は、図５に示す従来装置の要部拡大断面図である。
ディヒューザの絞込部を形成する配管１には、その外周面に半円筒形状をした一対のヒータ板１０，２０が対称に配置されている。各ヒータ板１０，２０の近接する一端縁部には導電性の連結用突起１１，２１が設けてあり（図６（ｂ）参照）、これらの連結用突起１１，２１をリード線３００によって連結して、各ヒータ板１０，２０を電気的に導通している。また、各ヒータ板１０，２０の近接する他端縁部には導電性の端子部１２，２２が設けてあり（図６（ａ）参照）、これらの各端子部１２，２２にそれぞれリード線１００，２００が接続してある。それらのリード線１００，２００を介して各端子部１２，２２に電気が供給され、各ヒータ板１０，２０が発熱する。
ここで、各連結用突起１１，２１を連結するリード線３００、及び各端子部１２，２２に接続したリード線１００，２００は、いずれも導電性の芯線をビニールで被覆した可撓導線が用いられていた。また、電気が供給される各端子部１２，２２は、配管１の頂部に配置されていた。
【特許文献１】特開２００２−７１２７９号公報（図３）
【発明の開示】
【発明が解決しようとする課題】
【０００４】
上述した構造の従来の保温装置では、各連結用突起１１，２１を連結するリード線３００、及び各端子部１２，２２に接続されたリード線１００，２００のいずれもが、熱源である各ヒータ板１０，２０の近傍で接続されているため、各ヒータ板１０，２０からの放射熱によりこれらリード線１００，２００，３００が熱疲労を引き起こし、比較的短期間で断線してしまう傾向があった。特に、各ヒータ板１０，２０の頂部に配置された端子部１２，２２は、各ヒータ板１０，２０からの放射熱が上昇していく通り途にあたるため、放射熱の影響を受けやすく、そこに接続されたリード線１００，２００は断線しやすい傾向にあった。
【０００５】
リード線１００，２００，３００が断線した場合、各ヒータ板１０，２０への電気の供給や導通が停止するため、配管１を保温することができなくなり、配管１内に結露が発生して効率的な真空吸引動作を阻害するおそれがあった。しかも、断線したリード線１００，２００，３００の交換修理を短期間で実施しなければならず、作業効率も悪いという問題があった。
【０００６】
本発明は、このような事情に鑑みてなされたもので、配管の外周面に配置される各ヒータの連結部分や端子部分が、熱的影響により破損するおそれを少なくした保温装置の提供を目的とする。
【課題を解決するための手段】
【０００７】
上記目的を達成するために、本発明は、復水器と真空ポンプとを連通する配管のディヒューザ部に設けられた保温装置であって、次の（イ）乃至（ト）の構成を備えることを特徴とする。
（イ）それぞれ半円筒形状をしており、ディヒューザ部を形成する円筒形状の配管外周面に、それぞれ対称に配置される導電性の第１，第２ヒータを有する。
（ロ）第１，第２ヒータの各両端縁部は、間隙を設けて近接配置されている。
（ハ）第１，第２ヒータの近接配置された各一端縁部に、導電性の連結用突起が設けてある。
（ニ）各連結用突起を、金属板で形成した連結バーで連結して電気的に接続する。
（ホ）第１，第２ヒータの近接配置された各他端縁部に、導電性の端子部が設けてある。
（ヘ）各端子部に、それぞれ金属材料で形成した電線接続片の一端部を固定するとともに、当該電線接続片の他端部を配管の外径方向へ引き延ばして配置する。
（ト）各電線接続片の他端部に電線を接続し、それら電線を介して各端子部に電気を供給する。
【０００８】
上記構成の保温装置によれば、各連結用突起を、金属板で形成した連結バーで連結したので、熱的強度が高く耐久性の向上を図ることができる。
また、各端子部に、それぞれ金属板で形成した電線接続片を固定し、この電線接続片を介して各ヒータの外周面から外径方向に離間した位置で、電線を接続するように構成したので、各ヒータからの放射熱の影響を抑制し、電線の熱疲労を低減することができる。
【０００９】
ここで、連結バーを構成する金属板の中間部を湾曲した構成とすれば、各ヒータの一端縁部に設けられた各連結用突起が温度変化により変位しても、連結バーの湾曲部分が柔軟に変形して連結用突起間の変位を吸収するので、連結バーによる各連結用突起の連結状態を維持することができる。
【００１０】
また、各端子部を、配管の底部に配置した構成とすれば、各ヒータからの放射熱は上昇していくので、その通り途から各端子部を外して熱的影響を低減することができる。
【発明の効果】
【００１１】
本発明によれば、配管の外周面に配置される各ヒータの連結部分や端子部分が、熱的影響により破損することが少なく、耐久性の向上とともに、保守管理の容易化を図ることができる。
【発明を実施するための最良の形態】
【００１２】
以下、この発明の実施の形態について図面を参照して詳細に説明する。
図１は本発明の実施形態に係る保温装置の構成を示す一部切欠正面図、図２は同じく横断面図である。
本実施形態に係る保温装置は、発電システムにおいて、復水器と真空ポンプとを連通する配管の途中に設けられたディヒューザ部（さらに詳しくは、内径が小さく絞り込まれた絞込部（のど部））を保温するものである。
【００１３】
ディヒューザ部を構成する円筒形状の配管１の外周面には、第１，第２ヒータ１０，２０が配置されている。各ヒータ１０，２０は、それぞれ半円筒形状をした導電性の金属板で構成してあり、配管１の外周面を被覆するようにして対称に配置されている（図２参照）。ここで、第１，第２ヒータ１０，２０の各一端部は、わずかな間隙を設けて配管１の頂部に近接配置してある。一方、第１，第２ヒータ１０，２０の各他端部は、わずかな間隙を設けて配管１の底部に近接配置してある。
【００１４】
第１，第２ヒータ１０，２０の一端部には、図３に拡大して示すように、導電性の連結用突起１１，２１がそれぞれ設けてあり、これら各連結用突起１１，２１が連結バー３０で連結されている。これにより、連結バー３０及び連結用突起１１，２１を介して、第１、第２ヒータ１０，２０が電気的に接続されている。
連結バー３０は、矩形状の金属板（本実施形態では、銅板）で形成してあり、両端部がそれぞれ各連結用突起１１，２１の上端面にビス止めされている。この連結バー３０は、芯線をビニールで被覆しただけのリード線に比べ、熱的強度が高く耐久性がある。よって、第１、第２ヒータ１０，２０からの放射熱を受けても熱疲労により破断することが少ない。
【００１５】
また、連結バー３０の中間部３０ａは、湾曲形状に加工してある。このように、連結バー３０の中間部３０ａを湾曲した構成とすれば、温度変化によって各ヒータ１０，２０が周方向に伸縮し、それに伴い各連結用突起１１，２１の相対位置が変位しても、連結バー３０の湾曲部分が柔軟に変形して連結用突起１１，２１間の変位を吸収するので、連結バー３０による各連結用突起１１，２１の連結状態を維持することができる。
【００１６】
また、第１，第２ヒータ１０，２０の他端部には、図４に拡大して示すように、導電性の端子部１２，２２がそれぞれ設けてあり、これら各端子部１２，２２に金属材料（本実施形態では、銅又は銅合金）でＬ字形に形成した電線接続片１３，２３の基部がビス止めしてある。さらに、電線接続片１３，２３の本体部は、配管１の外径方向へ延びる長尺な棒状に形成されており、その先端部に電線１４，２４がビス止めしてある。このようにして、電線１４，２４は電線接続片１３，２３を介し端子部１２，２２と電気的に接続される。よって、端子部１２，２２へ直に電線１４，２４を接続する構成に比べ、電線接続片１３，２３の長尺な本体部が介在する分だけ、電線１４，２４の接続部は各ヒータ１０，２０の外周面から離間しているので、各ヒータ１０，２０からの放射熱の影響が抑制されて熱疲労による破断の発生が少なくなる。
【００１７】
また、各端子部１２，２２が、配管１の底部に配置されているので、各ヒータ１０，２０から上昇していく放射熱の影響を受けることが少ない。したがって、電線１４，２４の接続部が熱疲労により破断するおそれがいっそう少なくなる。
【００１８】
配管１の周囲にはカバー４０が設けてあり、このカバー４０の底部に電線１４，２４を図示しない電源に導く保護管４１が連結してある。電線１４，２４はこの保護管４１の中空部内を通り電源に導かれる。
【００１９】
上述した構成の保温装置は、電線１４，２４、電線接続片１３，２３及び端子部１２，２２を経由して第１、第２ヒータ１０，２０へ電気が供給される。これにより各ヒータ１０，２０が発熱して、配管１を外周面から保温する。その結果、配管１内の結露を防止することができる。
【００２０】
なお、本発明は上述した実施形態に限定されるものではない。
例えば、連結バー３０の中間部３０ａは、連結用突起１１，２１から引張力又は圧縮力を受けたとき、柔軟に変形してそれらの力を吸収できる形状であれば、湾曲形状に限らず、波形に曲がった形状や矩形に折れ曲がった形状などに成形してもよい。
また、電線接続片１３，２３の長さは任意に設定できるが、好ましくはカバー４０に囲まれた空間内に配置可能な範囲でできる限り、配管１の外径方向へ延ばしたほうが、第１，第２ヒータ１０，２０からの放射熱の影響が少なくなる。
【図面の簡単な説明】
【００２１】
【図１】本発明の実施形態に係る保温装置の構成を示す一部切欠正面図である。
【図２】本発明の実施形態に係る保温装置の構成を示す横断面図である。
【図３】図２に示された連結バーとその周辺の拡大断面図である。
【図４】図２に示された端子部とその周辺の拡大断面図である。
【図５】従来の保温装置を示す横断面図である。
【図６】図５に示す従来の保温装置の要部拡大断面図である。
【符号の説明】
【００２２】
１：配管、１０：第１ヒータ、２０：第２ヒータ、１１，２１：連結用突起、１２，２２：端子部、１３，２３：電線接続片、１４，２４：電線、３０：連結バー、４０：カバー、４１：保護管
【図１】
2010096009.tif 000003
【図２】
2010096009.tif 000004
【図３】
2010096009.tif 000005
【図４】
2010096009.tif 000006
【図５】
2010096009.tif 000007
【図６】
2010096009.tif 000008